(57)【要約】【課題】  より簡易な構成で、ワイピングとキャッピングを選択的に切り替えて不要なワイピングを回避する。【解決手段】  記録ヘッドを搭載して移動するキャリッジと、記録ヘッドの吐出口面をワイピングするワイパを保持し、キャリッジの移動に追従して移動可能なワイパホルダであってワイピング位置と退避位置とに移動可能なワイパホルダと、ワイパホルダをワイピング位置に係止する係止位置と、ワイパホルダの係止状態を解除する解除位置と、に移動可能な係止部材と、キャリッジが記録領域から第１の位置まで移動することによって、係止位置に移動した係止部材と係合する係合部と、キャリッジが記録領域から第１の位置まで移動したときは、第１の方向に係止部材を付勢し、キャリッジが記録領域から第１の位置を超えて第２の位置まで移動したときは、第１の方向と異なる第２の方向に係止部材を付勢する付勢部材を備える。【選択図】  図５
2019188725.tif 000002
【特許請求の範囲】
【請求項１】
記録領域において記録を行う記録ヘッドを搭載して移動するキャリッジと、
前記記録ヘッドの吐出口面をワイピングするワイパを保持し、前記キャリッジの移動に追従して移動可能なワイパホルダであって、前記吐出口面をワイピングするワイピング位置と前記吐出口面をワイピングしない退避位置とに移動可能なワイパホルダと、
前記ワイパホルダに配され、前記ワイパホルダを前記ワイピング位置に係止する係止位置と、前記ワイパホルダの係止状態を解除する解除位置と、に移動可能な係止部材と、
前記キャリッジが前記記録領域から第１の位置まで移動することによって、前記係止位置に移動した前記係止部材と係合する係合部と、備えるインクジェット記録装置であって、
前記キャリッジが前記記録領域から前記第１の位置まで移動したときは、前記係止部材を前記係止位置に移動させる第１の方向に前記係止部材を付勢し、
前記キャリッジが前記記録領域から前記第１の位置を超えて第２の位置まで移動したときは、前記第１の方向と異なる第２の方向に前記係止部材を付勢する付勢部材をさらに備えることを特徴とするインクジェット記録装置。
【請求項２】
前記ワイパホルダは、前記キャリッジに当接してスライド移動するスライダであることを特徴とする請求項１に記載のインクジェット記録装置。
【請求項３】
前記キャリッジが前記第１の位置に移動したときより、前記第２の位置に移動したときのほうが、前記記録ヘッドと前記スライダの距離が小さいことを特徴とする請求項２に記載のインクジェット記録装置。
【請求項４】
前記係止部材は、前記キャリッジの移動方向と交差する面内で前記係止位置と前記解除位置とに回動可能であることを特徴とする請求項２から３のいずれか１項に記載のインクジェット記録装置。
【請求項５】
前記スライダはスライダベースに対してスライド可能であり、
前記係合部は前記スライダベースに設けられていることを特徴とする請求項２から４のいずれか１項に記載のインクジェット記録装置。
【請求項６】
前記スライダベースと前記スライダの間にスライダばねが配され、
前記スライダばねによって前記スライダは前記記録領域に向けて付勢されていることを特徴とする請求項５に記載のインクジェット記録装置。
【請求項７】
前記スライダベースは第１リブと第２リブとが設けられ、
前記第１リブは前記係合部を有し、前記第２リブは前記付勢部材による付勢方向を切り替える切替部と、を有することを特徴とする請求項５または６に記載のインクジェット記録装置。
【請求項８】
前記切替部は、前記係合部より前記記録領域から離れる位置に配されることを特徴とする請求項７に記載のインクジェット記録装置。
【請求項９】
前記キャリッジが前記記録領域から前記第１の位置を超えて前記第２の位置に移動するとき、前記係止部材が前記切替部と当接することで、前記付勢部材によって前記第２の方向に付勢されることを特徴とする請求項７または８に記載のインクジェット記録装置。
【請求項１０】
前記第２リブは前記切替部より前記記録領域側に規制部を有し、
前記規制部は前記係止部材が前記解除位置から前記係止位置へ移動するのを規制することを特徴とする請求項７から９のいずれか１項に記載のインクジェット記録装置。
【請求項１１】
前記規制部は前記係合部より前記記録領域側に延在することを特徴とする請求項１０に記載のインクジェット記録装置。
【請求項１２】
前記キャリッジが前記記録領域から前記第１の位置に移動した後、前記記録領域へ向けて移動するときに前記ワイパによって前記吐出口面がワイピングされることを特徴とする請求項１から１１のいずれか１項に記載のインクジェット記録装置。
【請求項１３】
前記キャリッジは前記係止部材と当接可能な突出部を有し、
前記突出部は、前記吐出口面が前記ワイパによってワイピングされた後に前記係止部材と当接することで、前記係止部材を前記第２の方向に付勢することを特徴とする請求項１２に記載のインクジェット記録装置。
【請求項１４】
前記ワイパホルダは、前記吐出口面をキャッピングするキャップを保持することを特徴とする請求項１から１３のいずれか１項に記載のインクジェット記録装置。
【請求項１５】
前記キャリッジが前記記録領域から前記第２の位置に移動すると、前記キャップによって前記吐出口面がキャッピングされることを特徴とする請求項１４に記載のインクジェット記録装置。
【請求項１６】
前記キャリッジは、カラーインクを吐出するカラーヘッドと、ブラックインクを吐出するブラックヘッドと、を搭載することを特徴とする請求項１から１５のいずれか１項に記載のインクジェット記録装置。
【発明の詳細な説明】
【技術分野】
【０００１】
本発明は、記録ヘッドを用いて画像を記録するインクジェット記録装置に関する。
【背景技術】
【０００２】
特許文献１には、記録ヘッドを搭載して移動するキャリッジに追従して移動可能なスライダに対して、キャップやワイパが設けられた回復機構部が開示されている。スライダの位置に応じて、記録ヘッドに対するキャッピングやワイピング等の回復動作が行われる。ワイピング位置はキャッピング位置と退避位置の間に配されることから、ワイピング位置におけるスライダに対する係止を解除する係止解除部材が設けられている。これにより、キャッピングを行いたいときに係止解除部材によって解除することで、不要なワイピングが行われない構成となっている。
【先行技術文献】
【特許文献】
【０００３】
【特許文献１】特開２０１３−６０００３号公報
【発明の概要】
【発明が解決しようとする課題】
【０００４】
しかしながら特許文献１の構成では、不要なワイピングが行われないようにするために、係止解除部材を別に設ける必要があり、部品点数の増加を招いてしまっている。
【０００５】
上記課題に鑑みて本発明は、より簡易な構成で、ワイピングとキャッピングを選択的に切り替えて不要なワイピングを回避することができるインクジェット記録装置を提供することを目的とする。
【課題を解決するための手段】
【０００６】
本発明は、上記目的を達成するため、記録領域において記録を行う記録ヘッドを搭載して移動するキャリッジと、前記記録ヘッドの吐出口面をワイピングするワイパを保持し、前記キャリッジの移動に追従して移動可能なワイパホルダであって、前記吐出口面をワイピングするワイピング位置と前記吐出口面をワイピングしない退避位置とに移動可能なワイパホルダと、前記ワイパホルダに配され、前記ワイパホルダを前記ワイピング位置に係止する係止位置と、前記ワイパホルダの係止状態を解除する解除位置と、に移動可能な係止部材と、前記キャリッジが前記記録領域から第１の位置まで移動することによって、前記係止位置に移動した前記係止部材と係合する係合部と、備えるインクジェット記録装置であって、前記キャリッジが前記記録領域から前記第１の位置まで移動したときは、前記係止部材を前記係止位置に移動させる第１の方向に前記係止部材を付勢し、前記キャリッジが前記記録領域から前記第１の位置を超えて第２の位置まで移動したときは、前記第１の方向と異なる第２の方向に前記係止部材を付勢する付勢部材をさらに備えることを特徴とする。
【発明の効果】
【０００７】
本発明によれば、より簡易な構成で、ワイピングとキャッピングを選択的に切り替えて不要なワイピングを回避することができるインクジェット記録装置が提供される。
【図面の簡単な説明】
【０００８】
【図１】第１実施形態に係るインクジェット記録装置の概略斜視図である。
【図２】第１実施形態に係るインクジェット記録装置の制御構成を示すブロック図である。
【図３】第１実施形態に係る記録部の斜視図である。
【図４】第１実施形態に係る回復機構部の斜視図である。
【図５】第１実施形態に係るロックレバーの側面図である。
【図６】第１実施形態に係るスライダがワイピング位置に位置するときの回復機構部を示す図である。
【図７】第１実施形態に係るスライダがワイピング位置に位置するときのロックレバーの上面斜視図である。
【図８】第１実施形態に係るスライダが退避位置に位置するときの回復機構部を示す図である。
【図９】第１実施形態に係るスライダがワイパトリガ領域に位置するときの回復機構部を示す図である。
【図１０】第１実施形態に係るスライダがワイパトリガ領域に位置するときの回復機構部を示す正面図である。
【図１１】第１実施形態に係るスライダがキャッピング位置へ移動するときの回復機構部を示す図である。
【図１２】第１実施形態に係るスライダが退避位置へ移動するときの回復機構部を示す図である。
【図１３】第２実施形態に係るロックレバーの側面図である。
【発明を実施するための形態】
【０００９】
本発明に係る記録装置の実施形態について説明する。ただし、実施形態に記載されている構成要素はあくまで例示であり、本発明の範囲を限定する趣旨のものではない。本明細書において「インク」とは、記録液などの液体の総称として用いる。さらに本明細書において「記録」とは、平面的なものに対する記録に限らず、立体物に対する記録も含む。本明細書において「記録媒体」とは、液体を吐出されるものであって、紙、布、プラスチックフィルム、金属板、ガラス、セラミックス、木材、皮革等の記録媒体の総称として用いる。さらに、記録媒体はカット紙に限らずロール状の連続紙も含む。
【００１０】
〔第１実施形態〕
図１は、本発明のインクジェット記録装置（以下、記録装置）１００の概要を示す概略斜視図である。図２は、記録装置１００の制御構成を示すブロック図である。記録装置１００は主に、給送部１０１と、搬送部１０２と、記録部１０３と、回復機構部１０４と、を備える。給送部１０１に積載された記録媒体は、給送・搬送モータ２０５によって駆動される給送ローラによって１枚ずつに分離されて搬送部１０２へ供給される。搬送部１０２に供給された記録媒体は、給送・搬送モータ２０５によって駆動される搬送ローラ１２１及びピンチローラ１２２に挟持されてＹ方向に搬送される。
【００１１】
記録部１０３は、キャリッジ６と記録ヘッド５とを有する。キャリッジ６は、記録ヘッド５を搭載してＹ方向と交差するＸ方向（主走査方向）に往復移動する。本実施形態においては、Ｙ方向とＸ方向は直交する。記録ヘッド５はキャリッジ６とＸ方向に移動しながら、搬送ローラ１２１及びピンチローラ１２２によって搬送される記録媒体に対して、画像情報に基づいて画像を記録する記録動作を行う。記録媒体に１バンド分の画像が記録されると、記録媒体は搬送ローラ１２１及びピンチローラ１２２によって所定量だけＹ方向に搬送される（間欠搬送動作）。この１バンド分の記録動作と間欠搬送動作を繰り返すことによって、記録媒体の全体に画像が記録される。記録が行われた記録媒体は、排出ローラ及び拍車に挟持されて装置本体外へ排出される。
【００１２】
キャリッジ６は、記録装置１００本体に設けられたガイドレールに沿って往復移動可能に案内支持されている。キャリッジ６の往復移動は、キャリッジモータ２０４によりキャリッジベルト１２４を介して駆動される。また、キャリッジ６に搭載されたエンコーダセンサと、装置本体側に張架されたエンコーダスケール１２５によってキャリッジ６の位置および速度を検出することで、キャリッジ６の往復移動が制御される。
【００１３】
回復機構部１０４は、記録ヘッド５の吐出性能を維持回復するための回復動作を行う機構である。回復機構部１０４は、記録ヘッド５による記録動作が行われる記録領域の外側であって、キャリッジ６が移動する移動領域内に配される。記録装置１００において、回復機構部１０４が配される領域を回復領域とも称する。回復機構部１０４の詳しい構成は後述する。
【００１４】
図２を参照して、記録装置１００の制御構成を説明する。ＭＰＵ２０１は、各ユニットの動作やデータ処理等、記録装置１００全体を制御する。ＲＯＭ２０２は、ＭＰＵ２０１によって実行されるプログラムや各種データを格納する。ＲＡＭ２０３は、ＭＰＵ２０１によって実行される処理データや、ホストコンピュータ２１４から受信したデータを一時的に記憶する。
【００１５】
記録ヘッド５は記録ヘッドドライバ２０７によって制御される。キャリッジ６を駆動するキャリッジモータ２０４は、キャリッジモータドライバ２０８によって制御される。給送ローラ及び搬送ローラ１２１は、給送・搬送モータ２０５によって駆動される。給送・搬送モータ２０５は給送・搬送モータドライバ２０９によって制御される。
【００１６】
ホストコンピュータ２１４には、ユーザによって記録動作の実行が命令された場合に、記録画像や記録画像品位等の記録情報を取りまとめて記録装置１００と通信するためのプリンタドライバ２１４１が設けられている。ＭＰＵ２０１は、Ｉ／Ｆ部２１３を介してホストコンピュータ２１４と記録画像等のやり取りを実行する。
【００１７】
図３は、記録部１０３を下方から見た斜視図である。記録ヘッド５は、第１記録ヘッド５Ａと第２記録ヘッド５Ｂを含む。第１記録ヘッド５Ａは、マゼンタ、シアン、イエローの３色のカラーインクを吐出可能な吐出口列が、第１吐出口面５１に対して色毎に設けられているカラーヘッドである。第２記録ヘッド５Ｂは、ブラックインクを吐出可能な吐出口列が第２吐出口面５２に設けられているブラックヘッドである。第１記録ヘッド５Ａは、インクタンクと一体的に第１記録カートリッジ３Ａを構成し、第２記録ヘッド５Ｂはインクタンクと一体的に第２記録カートリッジ３Ｂを構成する。第１記録カートリッジ３Ａと第２記録カートリッジ３Ｂは、キャリッジ６に対して着脱可能となっている。
【００１８】
図４は、回復機構部１０４を記録装置１００の前方から見た斜視図である。図４において、回復機構部１０４の左側が記録領域である。回復機構部１０４は、第１吐出口面５１を払拭するための第１ワイパ８と、第２吐出口面５２を払拭するための第２ワイパ９を有する。以降で、第１ワイパ８と第２ワイパ９をまとめてワイピング機構とも称する。また回復機構部１０４は、第１吐出口面５１を覆うための第１キャップ１Ａと、第２吐出口面５２を覆うための第２キャップ１Ｂを有する。以降で、第１キャップ１Ａと第２キャップ１Ｂをまとめてキャップ機構１とも称する。さらに回復機構部１０４は、第１キャップ１Ａと第２キャップ１Ｂに接続され、吐出口からインクを吸引するためのポンプ機構（不図示）も有する。
【００１９】
回復機構部１０４は、キャリッジ６が記録領域から回復領域に移動してきたときに、キャリッジ６の移動に追従して所定の範囲でスライド移動可能なスライダ（ワイパホルダ）７を備える。スライダ７は、記録装置１００に設けられるスライダベース１３に対してスライド可能である。上述したワイピング機構とキャップ機構１とポンプ機構は、全てスライダ７に設けられている。
【００２０】
図４においてスライダ７の右側端部には、回復領域に移動するキャリッジ６の側面と当接可能な突き当て部７ａが上方へ突出して設けられている。スライダ７は、移動するキャリッジ６と突き当て部７ａが当接することで、キャリッジ６の動きに追従してＸ方向及びＺ方向（重力方向）に移動可能である。これにより、スライダ７は、ワイピング機構によって第１吐出口面５１及び第２吐出口面５２をワイピング可能なワイピング位置と、ワイピング機構が第１吐出口面５１及び第２吐出口面５２とワイピングできない退避位置とに移動可能である。さらにスライダ７は、キャップ機構１によって第１吐出口面５１及び第２吐出口面５２をキャッピング可能なキャッピング位置にも移動可能である。
【００２１】
スライダ７には、側面からＹ方向に突出する突出部７ｂが４つ設けられている。図４においてはＹ方向下流に向けて突出する２つの突出部７ｂが図示されている。残りの２つの突出部７ｂは不図示であり、Ｙ方向において反対側の側面からＹ方向上流に向けて突出するように設けられている。４つの突出部７ｂは、スライダベース１３に設けられたスライダカム１３ａと当接している。また、スライダ７とスライダベース１３との間にはスライダばね１７が張架されており、スライダ７はスライダばね１７によって退避位置へ移動するように、記録領域側へ付勢されている。
【００２２】
スライダ７は、スライダカム１３ａのカム面に沿って４つの突出部７ｂがスライドし、記録領域に近い方から、退避位置、ワイピング位置、キャッピング位置に移動する。スライダカム１３ａのカム面はＺ方向における高さが変わるように設けられているため、スライダ７は、主走査方向に沿って退避位置からキャッピング位置へ移動するにつれて上昇する。すなわち、スライダ７は記録領域から遠ざかるほど、キャリッジ６に搭載された記録ヘッド５との距離が小さくなる。このように、スライダ７は、キャリッジ６の動きに追従してＸ方向及びＺ方向に移動する。
【００２３】
スライダ７において、第１キャップ１Ａは第１キャップホルダ２Ａに取り付けられ、第２キャップ１Ｂは第２キャップホルダ２Ｂに取り付けられている。第１キャップホルダ２Ａと第２キャップホルダ２Ｂをまとめてキャップホルダ２とも称する。キャップホルダ２は爪部によってスライダ７に取り付けられている。また、キャップホルダ２とスライダ７の間にはキャップばねが配されており、キャップホルダ２をＺ方向の上方へ付勢している。すなわち、キャップばねによって、キャップ機構１は記録ヘッド５の第１吐出口面及び第２吐出口面５２に向けて付勢されている。スライダ７において、記録領域側から順に、第１ワイパ８、第１キャップ１Ａ（第１キャップホルダ２Ａ）、第２ワイパ９、第２キャップ１Ｂ（第２キャップホルダ２Ｂ）が配置されている。
【００２４】
図４においてスライダ７の左側端部には、スライダ７をワイピング位置にロック（係止）可能な係止部材としてのロックレバー１６が設けられている。ロックレバー１６は、スライダ７をワイピング位置に係止する係止位置と、スライダ７のワイピング位置への係止状態を解除する解除位置と、に回転移動可能にスライダ７に対して設けられている。
【００２５】
ロックレバー１６は、キャリッジ６の移動によってスライダ７がワイピング位置まで移動したときに、スライダ７をスライダベース１３に対して係止することで、スライダ７の移動を規制する。ロックレバー１６は、支持軸１６ｅを中心に、キャリッジ６の移動方向と交差する面内において回転方向ＡＡ及び、回転方向ＡＡの逆方向である回転方向ＢＢに回動可能に設けられている。さらに、ロックレバー１６には付勢ばね１８が取り付けられており、ロックレバー１６の姿勢に応じてラジアル方向にばね力が働く。そのためロックレバー１６は、所定値以上の外力トルクが作用しない限り、ばね付勢力によって移動される位置で保持される。
【００２６】
図５は、記録領域側から見たロックレバー１６の詳細を示す図である。ロックレバー１６は下端部１６ａと上端部１６ｂとを有し、支持軸１６ｅはロックレバー１６の中央部に位置する。付勢ばね１８は支持軸１６ｅに対して設けられる所謂ねじりコイルばねであり、第１腕部１８ａと第２腕部１８ｂとを有する。またロックレバー１６には、付勢ばね１８の第１腕部１８ａと当接可能な第１ばね掛け部１６ｆと、第２腕部１８ｂと当接可能な第２ばね掛け部１６ｇと、が設けられている。さらに、付勢ばね１８の第１腕部１８ａと第２腕部１８ｂの間に、スライダ７の突出部７ｃが位置する。
【００２７】
ロックレバー１６に対して所定値以上の外力トルクが作用していないとき、ロックレバー１６は図５（ａ）に示すつり合いの位置に保持される。つり合いの位置では、第１腕部１８ａと第１ばね掛け部１６ｆが当接し、第２腕部１８ｂと第２ばね掛け部１６ｇが当接している。また、スライダ７の突出部７ｃは、第１腕部１８ａと第２腕部１８ｂの間に位置する。
【００２８】
図５（ｂ）は、ロックレバー１６に対して所定値以上の外力トルクが作用して、ロックレバー１６が回転方向ＡＡに回動した状態を示す。図５（ｂ）のように外力トルクが作用した場合、第１腕部１８ａとスライダ７の突出部７ｃが当接することで、ロックレバー１６を図５（ａ）に示すつり合いの位置に戻そうとする回転方向ＢＢの付勢力がロックレバー１６に対して働く。その結果、ロックレバー１６は回転方向ＢＢに回動して、図５（ａ）に示すつり合いの位置に戻る。
【００２９】
図５（ｃ）は、ロックレバー１６に対して所定値以上の外力トルクが作用して、ロックレバー１６が回転方向ＢＢに回動した状態を示す。図５（ｃ）の場合、第２腕部１８ｂと突出部７ｃが当接することで、ロックレバー１６を図５（ａ）に示すつり合いの位置に戻そうとする回転方向ＡＡの付勢力がロックレバー１６に働く。その結果、ロックレバー１６は回転方向ＡＡに回動して、図５（ａ）に示すつり合いの位置に戻る。
【００３０】
このように、付勢ばね１８は、ロックレバー１６を回転方向ＡＡ及び回転方向ＢＢのいずれの回転方向にも付勢可能な構成である。すなわち付勢ばね１８は、ロックレバー１６に対して作用した外力とは反対の方向にロックレバー１６を回動させることで、ロックレバー１６をつり合いの位置に戻す働きをする。
【００３１】
図６（ａ）は、スライダ７がワイピング位置に位置するときの回復機構部１０４の側面斜視図である。図６（ｂ）は、図６（ａ）に対応するスライダベース１３とロックレバー１６の位置関係を示す上面模式図である。図７は、スライダ７がワイピング位置に位置するときの、ロックレバー１６の上面斜視図である。
【００３２】
スライダベース１３には、Ｚ方向上方に突出する第１リブ１３１と第２リブ１３２が所定距離離れて設けられている。第１リブ１３１と第２リブ１３２はそれぞれ、ロックレバー１６の下端部１６ａと当接可能である。図６（ｂ）において、ロックレバー１６の下端部１６ａの位置を白丸で示す。
【００３３】
図６（ｂ）に示す上面模式図において、Ｍ−Ｍ´線はロックレバー１６を付勢する付勢ばね１８のつり合いの位置を示す。Ｍ−Ｍ´線上にロックレバー１６の下端部１６ａが位置するときは、ロックレバー１６と付製ばね１８の位置関係は図５（ａ）に示す状態である。すなわち、ロックレバー１６の下端部１６ａがＭ−Ｍ´線上に位置するときは、ロックレバー１６は回転方向ＡＡと回転方向ＢＢのいずれにも付勢されない。
【００３４】
一方図６（ｂ）において、Ｍ−Ｍ´線の左側に下端部１６ａが位置するとき、図５（ｂ）に示す状態に対応し、ロックレバー１６は付勢ばね１８によって回転方向ＢＢに付勢される。すなわち、下端部１６ａが付勢ばね１８によって、つり合いの位置へ向かう方向（図６（ｂ）における右方向）へ付勢される。
【００３５】
また、図６（ｂ）において、Ｍ−Ｍ´線の右側に下端部１６ａが位置するとき、図５（ｃ）に示す状態に対応し、ロックレバー１６は付勢ばね１８によって回転方向ＡＡに付勢される。すなわち、下端部１６ａが付勢ばね１８によって、つり合いの位置へ向かう方向（図６（ｂ）における左方向）へ付勢される。
【００３６】
第１リブ１３１には、下端部１６ａを係止可能な係止部１３ｄが設けられている。図６（ｂ）及び図７は、ロックレバー１６の下端部１６ａは係止部（係合部）１３ｄに係止されている状態を示す。このときのロックレバー１６の位置を係止位置ともいう。また、図６（ｂ）において、下端部１６ａがＭ−Ｍ´線の左側に位置しており、ロックレバー１６は回転方向ＢＢに付勢されている。そのため、図６（ｂ）において、下端部１６ａは右方向へ付勢される。この付勢により、第１リブ１３１の係止部１３ｄはロックレバー１６を係止位置に維持することができる。このように、ロックレバー１６が係止部１３ｄによって係止される係止位置において、スライダ７はワイピング位置に位置し、ワイピング機構をワイピング可能な高さに保持することができる。
【００３７】
キャリッジ６には、ロックレバー１６の上端部１６ｂと当接可能な突出部６７が設けられている（図３参照）。突出部６７は、キャリッジ６の記録領域へ向かう移動のときに、ロックレバー１６の上端部１６ｂと当接して、ロックレバー１６を回転方向ＡＡに回動させる。係止位置に位置するロックレバー１６は、このキャリッジ６の突出部６７との当接によって回転方向ＡＡに回動されることで、係止部１３ｄにより係止されている状態を解除される。
【００３８】
第２リブ１３２には、下端部１６ａと当接することで、ロックレバー１６に対する付勢ばね１８による付勢方向を切り替える切替面（切替部）１３ｇが設けられている。切替面１３ｇは、Ｍ−Ｍ´線の左側から右側に延出する面であり、Ｍ−Ｍ´線を跨ぐように配されることで、付勢ばね１８による付勢方向を切り替えることができる。さらに第２リブ１３２には、下端部１６ａと当接することでロックレバー１６の回動を規制する規制面（規制部）１３ｈが設けられている。規制面１３ｈは、切替面１３ｇと接続し、全体がＭ−Ｍ´線の左側に配されている。規制面１３ｈは切替面１３ｇより記録領域側に位置する外側面であり、切替面１３ｇは第２リブ１３２において屈曲した部分の内側面である。
【００３９】
（ワイピング動作を行う場合）
上述した構成に基づいて、記録装置１００においてワイピング動作を実行する場合のロックレバー１６の動きを説明する。図８（ａ）は、スライダ７が退避位置に位置するときの回復機構部１０４の側面斜視図である。図８（ｂ）は、図８（ａ）に対応するスライダベース１３とロックレバー１６の位置関係を示す上面模式図である。
【００４０】
記録ヘッド５による記録動作中など、キャリッジ６が回復領域内へ移動していない状態（記録領域内に位置する状態）では、スライダ７は退避位置に位置する。またロックレバー１６の下端部１６ａは、図８（ｂ）に示すように、第１リブ１３１のうち、係止部１３ｄより記録領域に近い部分と当接している。このとき、下端部１６ａがＭ−Ｍ´線の左側に位置するため、ロックレバー１６は付勢ばね１８によって回転方向ＢＢに付勢されている。すなわち、下端部１６ａはＭ―Ｍ´線に戻る方向に付勢されている。
【００４１】
図９（ａ）は、スライダ７がワイパトリガ領域に位置するときの回復機構部１０４の側面斜視図である。図９（ｂ）は、図９（ａ）に対応するスライダベース１３とロックレバー１６の位置関係を示す上面模式図である。また、図１０はスライダ７がワイパトリガ領域に位置するときの回復機構部１０４の正面図である。
【００４２】
キャリッジ６が記録領域から回復領域へ移動すると、キャリッジ６の側面とスライダ７の突き当て部７ａが当接する。これにより、スライダ７はキャリッジ６の移動に追従して、図１０に示すＡ方向（記録領域から離れる方向）に移動する。スライダ７はＡ方向へ移動するにつれて、スライダカム１３ａのカム面に沿った突出部７ｂの移動に伴い上昇する。
【００４３】
スライダ７がＡ方向へ移動していくと、ロックレバー１６は、付勢ばね１８による付勢によって回転方向ＢＢに回動される。そして、ロックレバー１６の下端部１６ａは、図６（ｂ）に示す係止部１３ｄによって係止される係止位置に保持される。
【００４４】
キャリッジ６の回復領域への移動によって、図９に示すように、ロックレバー１６の下端部１６ａが、係止位置より奥側に移動することもある。このような場合でも、キャリッジ６がワイピング動作のために停止して移動方向を記録領域へ向けて反転すると、スライダ７はスライダばね１７の付勢によって記録領域側へ移動するため、ロックレバー１６の下端部１６ａは係止部１３ｄによって係止される。
【００４５】
このように、キャリッジ６が反転するとスライダ７がワイピング位置に保持されるワイパトリガ領域は、第１リブ１３１の係止部１３ｄから第２リブ１３２の切替面１３ｇの手前までの領域に対応する。ロックレバー１６の下端部１６ａがワイパトリガ領域に位置する状態でキャリッジ６が移動方向を反転すると、スライダばね１７の付勢によって、下端部１６ａが係止位置に係止される状態が形成される。このときスライダ７はワイピング位置にあり、ワイピング機構が記録ヘッド５の第１吐出口面５１及び第２吐出口面５２に当接可能な位置となっている。つまり、スライダ７は、キャリッジ６の反転によって追従関係が解消されてワイピング位置で保持されるため、キャリッジ６だけが記録領域側へ移動を続けることでワイピング動作が行われる。
【００４６】
上述したように、ロックレバー１６が係止された状態で、キャリッジ６が反転し記録領域へ向かって移動することで、第１ワイパ８が第１吐出口面５１を払拭し、第２ワイパ９が第２吐出口面５２を払拭するワイピング動作が行われる。ワイピング動作が完了すると、キャリッジ６の記録領域へ向けた移動に伴って、突出部６７がロックレバー１６の上端部１６ｂと当接することでロックレバー１６は回転方向ＡＡに回動される。これにより、係止位置に位置したロックレバー１６の係止が解除されて、スライダ７は退避位置に戻る。
【００４７】
（キャッピング動作を行う場合）
次に、キャッピング動作を実行する場合のロックレバー１６の動きを説明する。図１１（ａ）は、スライダ７がワイピング位置を超えてキャッピング位置へ向けて移動するときの、回復機構部１０４の側面斜視図である。また、図１１（ｂ）は、図１１（ａ）に対応するスライダベース１３とロックレバー１６の位置関係を示す上面模式図である。
【００４８】
キャッピングを実行するときは、図９に示すワイパトリガ領域よりさらに奥側へキャリッジ６を移動させる。このキャリッジ６の移動にスライダ７が追従することで、ロックレバー１６の下端部１６ａは、第２リブ１３２の切替面１３ｇと当接する。
【００４９】
ここで切替面１３ｇは、図１１（ｂ）に示すように、つり合いの位置であるＭ−Ｍ´線よりも右側へ突出しており、当接した下端部１６ａをＭ−Ｍ´線の左側から右側へと案内する。ロックレバー１６は、下端部１６ａが切替面１３ｇによって案内されることで、付勢ばね１８によって回転方向ＡＡに向けて付勢されるように切り替わる。すなわち、下端部１６ａは、つり合いの位置に戻る方向（図１１（ｂ）における左側）へ付勢される（図１１（ｂ）矢印参照）。
【００５０】
上述したように、キャリッジ６の移動と、付勢ばね１８による回転方向ＡＡの付勢力を受けることによって、下端部１６ａは図１１（ｂ）に示すように第２リブ１３２の外側面と当接する位置に保持される。このとき、スライダ７はキャッピング位置に位置し、キャップ機構１は第１吐出口面５１及び第２吐出口面５２をキャッピング可能となる。なお、このとき下端部１６ａはＭ−Ｍ´線上のつり合いの位置に位置するため、付勢ばね１８による付勢力を受けていない。
【００５１】
このように、キャッピング動作を行うときはキャリッジ６のキャッピング位置への移動によって、ロックレバー１６の下端部１６ａがワイパトリガ領域の外側に移動した位置において保持される。これにより、下端部１６ａは係止部１３ｄによって係止されない解除位置へ移動することができ、キャッピング動作の度にワイピング動作が行われるのを防止することができる。
【００５２】
図１２（ａ）は、スライダ７がキャッピング位置から退避位置へ移動するときの、回復機構部１０４の側面斜視図である。図１２（ｂ）は、図１２（ａ）に対応するスライダベース１３とロックレバー１６の位置関係を示す上面模式図である。
【００５３】
キャリッジ６がキャッピング位置から記録領域へ移動するとき、スライダ７はスライダばね１７の付勢力によって退避位置へ戻る。このとき、ロックレバー１６の下端部１６ａは、図１２（ｂ）に示すように第２リブ１３２の規制面１３ｈと当接しながら記録領域側へ移動する。
【００５４】
ここで、規制面１３ｈの端部は、第１リブ１３１の係止部１３ｄよりも記録領域側へ延在するように設けられる必要がある。下端部１６ａは、規制面１３ｈによって係止部１３ｄよりも記録領域側の位置へガイドされることで、規制面１３ｈによる規制が解除されると図８（ｂ）に示す位置へ戻ることができる。仮に、規制面１３ｈが係止部１３ｄより記録領域側へ延在していない場合、規制面１３ｈによる規制が解除されると、付勢ばね１８による付勢によって、下端部１６ａは係止部１３ｄに係止されてしまう。すなわち、スライダ７がワイピング位置に移動してしまう。
【００５５】
上述したように、キャリッジ６の移動位置に応じて、ワイピング動作を行う場合とキャッピング動作を行う場合とに切り替えることで、不要なワイピング動作を抑制することができる。具体的には、ロックレバー１６が、回転方向ＡＡと回転方向ＢＢのいずれに回動されても、つり合いの位置に戻す付勢力を与える付勢ばね１８を設けることで、切り替えのための部材を別途設ける必要がなくなる。これにより、より簡易な構成で、ワイピング動作とキャッピング動作を選択的に実行することができる。
【００５６】
〔第２実施形態〕
第１実施形態では、ロックレバー１６の付勢部材として、図５に示すようなねじりコイル状のばねを用いた。第２実施形態では、ロックレバー１６の付勢部材として、図１３に示すような板状の付勢ばね１９を用いる。また、スライダ７には第１突出部７ｅと第２突出部７ｆとが設けられている。
【００５７】
図１３は、記録領域側から見たロックレバー１６の詳細を示す図である。付勢ばね１９は所謂板ばねであり、腕部１９ａを有する。図１３（ａ）は、付勢ばね１９による付勢力がロックレバー１６に対して作用しない、つり合いの位置を示す。このとき、腕部１９ａはスライダの第１突出部７ｅと第２突出部７ｆのいずれにも当接していない。
【００５８】
一方、図１３（ｂ）は、ロックレバー１６に対して所定値以上の外力トルクが作用して、ロックレバー１６が回転方向ＡＡに回動した状態を示す。図１３（ｂ）の場合、腕部１９ａとスライダ７の第１突出部７ｅが当接することで、ロックレバー１６に対して回転方向ＢＢの付勢力が働き、ロックレバー１６は回転方向ＢＢに回動する。反対に、図１３（ｃ）は、ロックレバー１６に対して所定値以上の外力トルクが作用して、ロックレバー１６が回転方向ＢＢに回動した状態を示す。図１３（ｃ）の場合、腕部１９ａと第２突出部７ｆが当接することで、ロックレバー１６に対して回転方向ＡＡの付勢力が働き、ロックレバー１６は回転方向ＡＡに回動する。
【００５９】
このように、ロックレバー１６の付勢部材は第１実施形態に示したねじりコイルばねに限らず、第２実施形態で示す板ばねを採用しても同様の効果を得ることができる。
【符号の説明】
【００６０】
５  記録ヘッド
６  キャリッジ
７  スライダ（ワイパホルダ）
８  第１ワイパ
９  第２ワイパ
１３ｄ  係止部（係合部）
１６  ロックレバー（係止部材）
１８  付勢ばね（付勢部材）
１００  インクジェット記録装置
【図１】
2019188725.tif 000003
【図２】
2019188725.tif 000004
【図３】
2019188725.tif 000005
【図４】
2019188725.tif 000006
【図５】
2019188725.tif 000007
【図６】
2019188725.tif 000008
【図７】
2019188725.tif 000009
【図８】
2019188725.tif 000010
【図９】
2019188725.tif 000011
【図１０】
2019188725.tif 000012
【図１１】
2019188725.tif 000013
【図１２】
2019188725.tif 000014
【図１３】
2019188725.tif 000015